(57)【要約】【課題】掃除口内周面の汚物の堆積を防止できるとともに、耐火性を確保して、手間無く、蓋体の開閉作業を行える掃除口を備えた耐火二層管用管継手の提供。【解決手段】管継手５は、両端に配管を接続可能な接続口部を備えた胴部８が、合成樹脂製の内層６と、外表面側の耐火層７と、を備えて構成され、胴部８に設けられた掃除口１２が、耐火性を有して取り外し可能な蓋体１６によって閉塞される。掃除口１２は、開口端の内層６側に、パッキン２６を介在させて蓋体１６をボルト２１止め可能な取付孔を備えた取付端部１４を、備える。取付端部の周囲に配置される耐火層若しくは蓋体の少なくとも一方には、蓋体１６のボルト止め時に、外方から取付端部１４とパッキン２６との見え掛りがないように、カバー部２４が、配設される。蓋体１６の掃除口１２内に嵌合する嵌合部２０の端面には、胴部本体９の内周面と面一となる面一用弧面２０ａが、配設される。【選択図】図３
2006002813.tif 000002
【特許請求の範囲】
【請求項１】
両端に配管を接続可能な接続口部を備えた胴部が、合成樹脂製の内層と、該内層の外表面側に配置された耐火層と、を備えて構成されるとともに、胴部に設けられた掃除口が、耐火性を有して取り外し可能な蓋体によって閉塞されている構成の掃除口を備えた耐火二層管用管継手であって、
前記掃除口が、開口端の内層側に、パッキンを介在させて前記蓋体をボルト止め可能な取付孔を備えた取付端部を、配設させて構成され、
前記取付端部の周囲に配置される前記耐火層若しくは前記蓋体の少なくとも一方に、前記蓋体のボルト止め時に、外方から前記取付端部と前記パッキンとの見え掛りがないように、カバー部が、配設され、
前記掃除口の閉塞時における前記蓋体の前記掃除口内へ嵌め込まれた嵌合部の端面に、前記接続口部間の前記胴部の本体における内周面と面一となる面一用弧面が、配設されて構成されていることを特徴とする掃除口を備えた耐火二層管用管継手。
【発明の詳細な説明】
【技術分野】
【０００１】
本発明は、掃除口を備えた耐火二層管用管継手に関し、詳しくは、両端に配管を接続可能な接続口部を備えた胴部が、合成樹脂製の内層と、内層の外表面側に配置された耐火層と、を備えて構成されるとともに、胴部に設けられた掃除口が、取り外し可能な耐火性を有した蓋体によって閉塞されている構成の掃除口を備えた耐火二層管用管継手に関する。
【背景技術】
【０００２】
従来、耐火二層管用管継手としては、胴部が、硬質塩化ビニル等の合成樹脂製の内層と、内層の外表面側に配置されてモルタル等からなる耐火層と、を備えて構成され、胴部の両端には、所定の排水用配管等との接続用の接続口部が、配設されて、構成されていた（例えば、特許文献１参照）。
【０００３】
また、胴部に横枝管との接続口部が配設されている場合には、横枝管との接続時に、その接続部位の耐火性を確保できるように、耐火性を有したシール材が、その接続部位に配設されていた。
【０００４】
さらに、立て管等の配管を洗浄するために、掃除口を備えた管継手もあった（例えば、特許文献２参照）。このような管継手、すなわち、掃除口付きソケットでは、洗浄時以外の時に掃除口を閉塞するために、蓋体が取り付けられており、このような蓋体には、掃除口の内周面側に汚物が堆積しないように、掃除口内へ嵌め込まれる嵌合部が配設されるとともに、その端面に、接続口部間の胴部の本体における内周面と面一となる面一用弧面が、配設されていた。
【特許文献１】特開２００２−３１２８０公報
【特許文献２】特開２００３−４２３７７公報
【発明の開示】
【発明が解決しようとする課題】
【０００５】
従来、耐火二層管用管継手の胴部に掃除口を設けて、配管の洗浄時に掃除口を利用するような場合には、洗浄時以外の時に、掃除口を閉塞するために、蓋体を配設させていた。しかし、従来の掃除口を備えた耐火二層管用管継手では、蓋体が、ねじ込み式として、胴部の掃除口に対し、蓋体を回して取り付けていたことから、蓋体の掃除口内に挿入された端面を管継手の胴部本体の内周面と面一とすることができず、胴部本体の内周面から掃除口の内周面側に凹んだように、蓋体の端面が配置されていた。そのため、蓋体の端面から胴部本体の内周面までの間の掃除口内周面に、汚物が堆積して、掃除口を開口させて洗浄ノズルを差し込む際、洗浄ノズルを挿入できない事態を招く場合が、あった。
【０００６】
この対処のため、ねじ込み式の蓋体を、特許文献２に記載されている蓋体、すなわち、蓋体の掃除口内への嵌合部における端面に面一用弧面を設けた蓋体、に変更することが考えられる。
【０００７】
しかし、耐火二層管用管継手では、胴部への蓋体の取付後において、パッキンや内層側の耐火性を確保する必要があり、蓋体取付後に難燃性のシール材を設けるような構成では、手間がかかってしまい、手間無く、蓋体の開閉作業を行えるようにするために、改善の余地があった。
【０００８】
本発明は、上述の課題を解決するものであり、掃除口内周面の汚物の堆積を防止できるとともに、耐火性を確保して、手間無く、蓋体の開閉作業を行える掃除口を備えた耐火二層管用管継手を提供することを目的とする。
【課題を解決するための手段】
【０００９】
本発明に係る管継手は、両端に配管を接続可能な接続口部を備えた胴部が、合成樹脂製の内層と、内層の外表面側に配置された耐火層と、を備えて構成されるとともに、胴部に設けられた掃除口が、耐火性を有して取り外し可能な蓋体によって閉塞されている構成の掃除口を備えた耐火二層管用管継手であって、
掃除口が、開口端の内層側に、パッキンを介在させて蓋体をボルト止め可能な取付孔を備えた取付端部を、配設させて構成され、
取付端部の周囲に配置される耐火層若しくは蓋体の少なくとも一方に、蓋体のボルト止め時に、外方から取付端部とパッキンとの見え掛りがないように、カバー部が、配設され、
掃除口の閉塞時における蓋体の掃除口内へ嵌め込まれた嵌合部の端面に、接続口部間の胴部の本体における内周面と面一となる面一用弧面が、配設されて構成されていることを特徴とする。
【００１０】
本発明に係る耐火二層管用管継手では、ボルトを取付孔に締め付け、パッキンを介在させて、蓋体を、管継手の胴部の掃除口における取付端部に、取り付ければ、カバー部が、外方から取付端部とパッキンとの見え掛りがないように、取付端部とパッキンとを覆う。そのため、内層側の取付端部とパッキンとの耐火性が向上し、別途、難燃性のシール材を配設したり取り外す必要が無く、簡便に、蓋体の取り付けと取り外しとを行うことができる。
【００１１】
また、蓋体が、掃除口に取り付けられれば、蓋体の掃除口内への嵌合部の端面に、胴部本体の内周面と面一となる面一用弧面が、配設されていることから、掃除口の内周面に汚物が堆積せず、洗浄時の掃除口への洗浄ノズルの挿入が容易となる。
【００１２】
したがって、本発明に係る掃除口を備えた耐火二層管用管継手では、掃除口内周面の汚物の堆積を防止できるとともに、耐火性を確保して、手間無く、蓋体の開閉作業を行うことができる。
【００１３】
なお、外方から取付端部とパッキンとの見え掛りがないようにする態様は、モルタル等からなる耐火層に比べて耐火性に劣る内層やパッキンが、火炎に直接曝されないように、耐火上、表面側に露出しない状態を指すものであって、取付端部やパッキンを、掃除口の軸直交方向や、掃除口の軸方向に沿う方向、あるいは、掃除口の軸心と斜め交差する方向等の外方から、目視しようとしても、直線的に目視できない状態を指し、胴部本体側の耐火層が、蓋体の外周面と、掃除口の軸直交方向で重なるように、配設されたり、あるいは、蓋体の耐火性を有する部位が、掃除口の外周側の耐火層と、掃除口の軸直交方向や軸方向に沿う方向で重なるように、配設される等の構成により、達成することができる。
【発明を実施するための最良の形態】
【００１４】
以下、本発明の一実施形態を図面に基づいて説明すると、実施形態の耐火二層管用管継手は、図１〜４に示すように、掃除口付きソケット５であり、耐火二層管からなる排水立て管１（１Ａ・１Ｂ）の間に配設されて、排水立て管１Ａ・１Ｂと接続させるための接続口部１０・１１を上下端に配設させた略円筒状の胴部８と、蓋体１６と、パッキン２６と、を備えて構成されている。
【００１５】
胴部８は、立て管１と同様に、硬質塩化ビニル等の合成樹脂からパイプ状に形成された内層６と、ガラス繊維等の難燃性繊維等を混入させたモルタル等からなって、内層６の外周面を被覆する耐火層７と、を備えて構成されている。
【００１６】
接続口部１０・１１は、立て管１Ａ・１Ｂの端部１ａを挿入させて受けることができるように、端部１ａの端面１ｂと当接する段差面１０ａ・１１ａを有し、また、胴部８における円筒状の本体９の内周面９ａと、接続した立て管１Ａ・１Ｂの内周面と、が面一となるように、拡径して構成されている。
【００１７】
さらに、胴部８には、円筒状の本体９の軸方向と直交するように、掃除口１２が突設されている。掃除口１２は、本体９から円筒状に突設される筒部１３を設けて構成され、筒部１３も、胴部本体９と同様に、本体９側から延びる内周面側の内層６と、内層６を覆うように本体９側から延びる耐火層７と、から構成されている。
【００１８】
そして、筒部１３の先端には、内層６側に設けられた取付孔１４ａを備えた取付端部１４が、配設されている。取付孔１４ａは、ボルト２１を螺合可能なねじ孔として、実施形態の場合、取付端部１４の端面の四箇所に、形成されている。
【００１９】
蓋体１６は、掃除口１２の開口１２ａ及び取付端部１４を覆い可能な蓋部１９と、蓋部１９の中央から突出する円柱状の嵌合部２０と、を備えて構成されている。実施形態の場合、蓋体１６は、嵌合部２０と蓋部１９における嵌合部２０の側とが、硬質塩化ビニル等の合成樹脂製とした本体１７と、蓋部１９の外周面を含めた外表面側を覆って、ガラス繊維等の難燃性繊維を混入したモルタル等からなる耐火層１８と、から構成されている。
【００２０】
蓋部１９には、図５に示すように、プッシュナット２２を嵌めて回転可能とした状態で、保持されるボルト２１が、挿通孔１９ａを挿通して、配設されている。
【００２１】
そして、嵌合部２０は、掃除口１２の内周側に嵌合可能な外径寸法を有するとともに、端面を、蓋体１６を掃除口１２にボルト２１止めした際に、胴部８の円筒状の本体９における内周面９ａと面一となるように、面一用弧面２０ａとして、形成されている。
【００２２】
パッキン２６は、ゴム製として、蓋体１６のボルト２１止め時に、蓋部１９と取付端部１４との間に介在されて、蓋体１６と掃除口１２との間をシールする円環状としている。このパッキン２６は、各ボルト２１を挿通させる挿通孔２６ａを配設させて、構成されている（図５参照）。
【００２３】
さらに、蓋体１６を掃除口１２にボルト２１止めした際、実施形態の掃除口付きソケット５では、掃除口１２の内層６側から形成される取付端部１４とパッキン２６とを、外方から見え掛りがないように、カバー部２４が、配設されている。実施形態のカバー部２４は、取付端部１４の周囲に配置される耐火層７が、蓋体１６の蓋部１９の外周面を覆うように、円筒状に突設されて、形成されている。
【００２４】
この実施形態の掃除口付きソケット５では、立て管１Ａ・１Ｂ間に配設された状態で、パッキン２６を介在させて、各ボルト２１を取付孔１４ａに螺合させ、蓋体１６を、ソケット５の胴部８の掃除口１２における取付端部１４に、取り付ければ、カバー部２４が、外方から取付端部１４とパッキン２６との見え掛りがないように、取付端部１４とパッキン２６とを覆う。そのため、取付端部１４とパッキン２６との耐火性が向上し、別途、難燃性のシール材を配設したり取り外す必要が無く、簡便に、蓋体１６の取り付けと取り外しとを行うことができる。
【００２５】
また、蓋体１６が、掃除口１２に取り付けられれば、蓋体１６の掃除口１２内に嵌合した嵌合部２０の端面に、胴部本体９の内周面９ａと面一となる面一用弧面２０ａが、配設されていることから、掃除口１２の内周面１２ｂに汚物が堆積せず、洗浄時の掃除口１２への洗浄ノズルＮの挿入が容易となる（図６参照）。
【００２６】
したがって、実施形態の掃除口付きソケット５では、掃除口１２の内周面１２ｂの汚物の堆積を防止できるとともに、耐火性を確保して、手間無く、蓋体１６の開閉作業を行うことができる。
【００２７】
なお、蓋体１６の取り外しは、各ボルト２１を取付孔１４ａから外すように緩めれば、蓋体１６を掃除口１２から簡単に取り外すことができる。そして、立て管１Ａ・１Ｂ等を洗浄する際には、図６に示すように、蓋体１６を取り外した掃除口１２の開口１２ａから、洗浄具Ｃの洗浄ノズルＮとノズルＮに連なる洗浄水供給ホースＨを挿入すれば、洗浄具Ｃを、開口１２ａを経て立て管１Ａ・１Ｂ内に、挿入させることができ、洗浄ノズルＮから洗浄水を噴射させれば、清掃作業を行うことができる。清掃作業後には、洗浄具Ｃを引き抜き、パッキン２６を介在させて、ボルト２１止めして、蓋体１６を掃除口１２に取り付ければよい。
【００２８】
また、実施形態の掃除口付きソケット５が接続される耐火二層管としては、図７に示すような受口１ｃを備えた立て管１Ｃであってもよく、また、その立て管の管継手との接合状態は、図７に示すスラブ上面接合や、あるいは、スラブ下接合であってもよい。
【００２９】
さらに、実施形態では、内層６側の取付端部１４とパッキン２６とを覆うカバー部２４として、掃除口１２の耐火層７側を延設して形成した場合を示したが、外方から直線的に取付端部１４とパッキン２６とを目視不能にできれば、図８に示すソケット５Ａのカバー部２４のように、蓋体１６Ａ側の耐火層１８を延設させて、取付端部１４とパッキン２６とを目視不能に覆うように、構成してもよい。勿論、カバー部としては、蓋体側と胴部側とに設けて、内層６側の取付端部１４とパッキン２６とを外方から目視不能に覆うように構成してもよい。
【００３０】
さらにまた、蓋体も、内層と耐火層とを備えたものだけでなく、図９に示すように、耐火性を有する鋳鉄等の金属製とした蓋体１６Ｂとしてもよい。なお、このソケット５Ｂでは、内層６側の取付端部１４とパッキン２６とを覆うカバー部２４が、掃除口１２の耐火層７側を延設して形成されている。
【図面の簡単な説明】
【００３１】
【図１】本発明の一実施形態の掃除口付きソケット（耐火二層管用管継手）の使用状態を示す図である。
【図２】実施形態のソケットの縦断面図である。
【図３】実施形態のソケットの横断面図である。
【図４】実施形態のソケットにおける蓋体を取り外した状態の掃除口付近の斜視図である。
【図５】実施形態の使用状態を示す部分縦断面図であり、ボルト付近を示す。
【図６】実施形態の洗浄時の状態を説明する図である。
【図７】実施形態の変形例を示す断面図である。
【図８】他の実施形態のソケットの横断面図である。
【図９】さらに他の実施形態のソケットの横断面図である。
【符号の説明】
【００３２】
１（１Ａ・１Ｂ・１Ｃ）…（配管）排水立て管、
５・５Ａ・５Ｂ…（耐火二層管用管継手）掃除口付きソケット、
６…内層、
７…耐火層、
８…胴部、
９…本体、
９ａ…内周面、
１０・１１…接続口部、
１２…掃除口、
１４…取付端部、
１４ａ…取付孔、
１６・１６Ａ・１６Ｂ…蓋体、
１８…耐火層、
２０…嵌合部、
２０ａ…面一用弧面、
２１…ボルト、
２４…カバー部、
２６…パッキン。
【図１】
2006002813.tif 000003
【図２】
2006002813.tif 000004
【図３】
2006002813.tif 000005
【図４】
2006002813.tif 000006
【図５】
2006002813.tif 000007
【図６】
2006002813.tif 000008
【図７】
2006002813.tif 000009
【図８】
2006002813.tif 000010
【図９】
2006002813.tif 000011